(57)【要約】【課題】電池パックの誤挿入を認識して接触端子を保護可能な携帯端末を提供する。【解決手段】携帯端末１０は、筐体１１、電池収容部１２、電池パック１３および電池蓋１４を備える。電池収容部は、左内面２５Ｃから突出された接触端子２７および内面突起部２９とを有する。また、電池パックは、接触端子に接触可能な接触パッド３７と、内面突起部よりも収容底面２４側に挿入可能な電池第１突起部３８と、内面突起部を挿入可能な電池凹部３９と、電池第１突起部に対して点対照位置に設けられた電池第２突起部４１とを有する。電池収容部に対する電池パックの姿勢が、収容底面に対して電池天面３４が対面する姿勢のときに電池第２突起部が内面突起部に係合するようにした。【選択図】図１０
2013098079.tif 000002
【特許請求の範囲】
【請求項１】
筐体と、
前記筐体の裏面において凹状に設けられた電池収容部と、
前記電池収容部に収容される電池パックと、
前記電池収容部を覆う電池蓋とを備え、
前記電池収容部は、
前記筐体の厚み方向に沿った内面から前記電池収容部の収容底面に対して平行な方向に突出する接触端子と、
前記内面における前記接触端子よりも前記収容底面とは反対側に設けられ、前記収容底面に対して平行な方向に突出する内面突起部と、を有し、
前記電池パックは、
前記電池収容部の前記収容底面に対面する電池底面と、前記電池蓋に対面する電池天面とに隣り合う端面に設けられて前記接触端子に接触する接触パッドと、
前記端面における前記電池底面側に設けられ、前記内面突起部よりも前記収容底面側に挿入される電池第１突起部と、
前記端面における前記電池天面側に設けられ、前記内面突起部が挿入される電池凹部と、
前記端面における長手方向中央部を中心として前記電池第１突起部に対する点対照位置に設けられた電池第２突起部と、を有し、
前記電池収容部に対して前記電池パックが、前記内面に対して前記端面が対面し、かつ、前記収容底面に対して前記電池天面が対面する姿勢のときに、前記電池第２突起部が前記内面突起部に係合する携帯端末。
【発明の詳細な説明】
【技術分野】
【０００１】
本発明は、筐体に凹状の電池収容部が設けられ、電池収容部に電池パックが収容され、電池収容部が電池蓋で覆われた携帯端末に関する。
【背景技術】
【０００２】
携帯端末は、通常、筐体に電池収容部が凹状に設けられ、凹状の電池収容部に電池パックが収容され、電池パックおよび電池収容部が電池蓋で覆われるように構成されている。
携帯端末のなかには、電池収容部に凹部が形成され、凹部に係合可能な突起が電池パックに形成されたものが知られている。
【０００３】
この携帯端末によれば、電池収容部に電池パックを収容する際に、電池収容部の凹部に電池パックの突起を合わせて嵌合させることにより、電池収容部に電池パックが正規の姿勢で収容される（例えば、特許文献１）。
【先行技術文献】
【特許文献】
【０００４】
【特許文献１】特開２００８−１９２３９７号公報（段落００２２、段落００２３、図３）
【発明の概要】
【発明が解決しようとする課題】
【０００５】
しかし、特許文献１の突起や凹部は、電池収容部に電池パックを正規の姿勢で収容させるために用いられた部位である。
このため、特許文献１の突起や凹部では、電池収容部に対して電池パックを誤った姿勢で挿入しようとした際に接触端子の破損を防止するものではない。
【０００６】
本発明は、前述した課題を解決するためになされたものであり、その目的は、電池収容部に対して電池パックを誤った姿勢で挿入しようとした際に、使用者が誤挿入を認識できるとともに、接触端子を保護できる携帯端末を提供することにある。
【課題を解決するための手段】
【０００７】
本発明の携帯端末は、筐体と、前記筐体の裏面において凹状に設けられた電池収容部と、前記電池収容部に収容される電池パックと、前記電池収容部を覆う電池蓋とを備え、前記電池収容部は、前記筐体の厚み方向に沿った内面から前記電池収容部の収容底面に対して平行な方向に突出する接触端子と、前記内面における前記接触端子よりも前記収容底面とは反対側に設けられ、前記収容底面に対して平行な方向に突出する内面突起部と、を有し、前記電池パックは、前記電池収容部の前記収容底面に対面する電池底面と、前記電池蓋に対面する電池天面とに隣り合う端面に設けられて前記接触端子に接触する接触パッドと、前記端面における前記電池底面側に設けられ、前記内面突起部よりも前記収容底面側に挿入される電池第１突起部と、前記端面における前記電池天面側に設けられ、前記内面突起部が挿入される電池凹部と、前記端面における長手方向中央部を中心として前記電池第１突起部に対する点対照位置に設けられた電池第２突起部と、を有し、前記電池収容部に対して前記電池パックが、前記内面に対して前記端面が対面し、かつ、前記収容底面に対して前記電池天面が対面する姿勢のときに、前記電池第２突起部が前記内面突起部に係合する。
【０００８】
電池収容部に電池パックを収容する際に、内面に対して端面が対面し、かつ、収容底面に対して電池天面が対面する場合、電池パックは正規の収容姿勢に対して１８０度反転した誤収容姿勢に保たれている。
電池パックが誤収容姿勢に保たれているときに、電池第２突起部が内面突起部に係合するようにした。
【０００９】
よって、電池収容部に対して電池パックを誤った姿勢で挿入しようとした際に、電池収容部に電池パックを挿入する前に、電池パックの誤挿入を使用者が認識できる。
これにより、電池パックが接触端子に接触する前に電池パックの誤挿入を認識できるので、電池パックで接触端子を破損する虞がなく接触端子を保護できる。
【発明の効果】
【００１０】
本発明の携帯端末によれば、電池パックが誤収容姿勢に保たれているときに、電池第２突起部が内面突起部に係合するようにした。
これにより、電池収容部に対して電池パックを誤った姿勢で挿入しようとした際に、使用者が誤挿入を認識できるとともに、接触端子を保護できる。
【図面の簡単な説明】
【００１１】
【図１】本発明に係る携帯端末を表面側から見た状態を示す分解斜視図
【図２】図１の携帯端末を裏面側から見た状態を示す分解斜視図
【図３】図２のＩ部拡大図
【図４】図２のＩＩ−ＩＩ線断面図
【図５】本発明に係る筐体の電池収容部に電池パックを正規の姿勢で挿入する状態を示す斜視図
【図６】本発明に係る電池パックの電池第１突起部および電池凹部を示す斜視図
【図７】本発明に係る電池パックの電池第２突起部および電池第３突起部を示す斜視図
【図８】本発明に係る筐体の電池収容部に電池パックを正規の姿勢で収容した状態を示す斜視図
【図９】図８のＩＩＩ部拡大図
【図１０】図８のＩＶ−ＩＶ線断面図
【図１１】本発明に係る筐体の電池収容部に電池パックを誤挿入する前の状態を示す斜視図
【図１２】本発明に係る筐体の電池収容部に電池パックを誤挿入した状態を示す斜視図
【図１３】図１２のＶ部拡大図
【図１４】図１２のＶＩ−ＶＩ線断面図
【図１５】本発明に係る電池パックの電池第２突起部を必要以上に突出させた状態を示す断面図
【発明を実施するための形態】
【００１２】
以下、本発明の実施形態に係る携帯端末について図面を参照して説明する。
【００１３】
図１、図２に示すように、本発明の実施形態である携帯端末１０は、筐体１１と、筐体１１の裏面１１Ｂにおいて凹状に設けられた電池収容部１２と、電池収容部１２に収容される電池パック１３と、電池収容部１２を覆う電池蓋１４とを備えている。
【００１４】
筐体１１は、略矩形体状に形成され、表面１１Ａに設けられた表示部１６と、表示部１６の上方に設けられた受信部１７と、表示部１６の下方に設けられた操作部（キー）１８と、操作部１８に隣接して設けられた送信部１９とを備えている。
さらに、この筐体１１は、裏面１１Ｂに設けられたカメラ部２１とを備えている。
【００１５】
電池収容部１２は、筐体１１の裏面１１Ｂにおいてカメラ部２１の下方に凹状に設けられ、収容底面２４、内面２５、収容開口部２６、複数の接触端子２７および内面突起部２９を有する。
【００１６】
収容底面２４は、筐体１１の厚み方向（矢印Ａ方向）に直交するように略矩形状の平坦部に形成されている。
この収容底面２４は、筐体１１の幅方向（矢印Ｂ方向）に沿って形成された上辺２４Ａおよび下辺２４Ｂと、筐体１１の長手方向（矢印Ｃ方向）に沿って形成された左辺２４Ｃおよび右辺２４Ｄとを有する。
【００１７】
内面２５は、収容底面２４の上辺２４Ａ、下辺２４Ｂ、左辺２４Ｃおよび右辺２４Ｄから筐体１１の厚み方向に沿って各々形成された上内面２５Ａ、下内面２５Ｂ、左内面２５Ｃおよび右内面２５Ｄを有する。
左内面２５Ｃに接触端子２７および内面突起部２９が設けられている。
【００１８】
図３に示すように、接触端子２７は、左内面２５Ｃの端部２５Ｅ寄りの部位２５Ｆから収容底面２４に対して平行な方向に山形に突出されている。
この接触端子２７は、左内面２５Ｃに対して端子突出寸法Ｌ１だけ突出されている。
左内面２５Ｃの端部２５Ｅは、左内面２５Ｃおよび上内面２５Ａの交差部に隣接する部位である。
この接触端子２７は、左内面２５Ｃに直交する方向（すなわち、接触端子２７の突出方向（矢印Ｂ方向））に弾性変形可能に形成されている。
【００１９】
接触端子２７の頂部２７Ａが、電池パック１３の接触パッド３７（図１参照）で矢印Ｂ方向に押圧される際に、接触端子２７を弾性変形させることができる。
よって、電池パック１３が電池収容部１２に収容された状態において、接触端子２７の頂部２７Ａに接触パッド３７（図１参照）を確実に接触させることができる。
【００２０】
図３、図４に示すように、内面突起部２９は、左内面２５Ｃの端部２５Ｅにおける接触端子２７よりも収容底面２４とは反対側の突起取付部位２５Ｊに設けられている。
この内面突起部２９は、収容底面２４に対して平行な方向に、突起取付部位２５Ｊから収容底面２４の中央に向けて内面突起突出寸法Ｌ２だけ突出されている。
突起取付部位２５Ｊは、接触端子２７よりも収容開口部２６寄りに位置する。
すなわち、接触端子２７よりも収容開口部２６寄りに内面突起部２９が配置されている。
【００２１】
このように、収容開口部２６寄りに内面突起部２９が配置されることにより、内面突起部２９は収容底面２４に対して所定間隔Ｓだけ離れた位置に設けられている。
よって、内面突起部２９および収容底面２４間に突起収容凹部３１が形成されている。
すなわち、突起収容凹部３１は、内面突起部２９よりも収容底面２４側に形成されている。
【００２２】
図５、図６に示すように、電池パック１３は、電池収容部１２に収容可能に略矩形体状に形成され、収容底面２４に対面する電池底面３３（図１参照）と、電池蓋１４に対面する電池天面３４と、電池底面３３および電池天面３４に隣り合う端面（側面）３５とを有する。
電池パック１３の端面３５は、左内面２５Ｃに対面する左端面３５Ａを有する。
【００２３】
また、電池パック１３は、左端面３５Ａに設けられた複数の接触パッド３７と、左端面３５Ａの一端部３５Ｂに設けられた電池第１突起部３８および電池凹部３９とを有する。
さらに、電池パック１３は、図７に示すように、左端面３５Ａの他端部３５Ｃに設けられた電池第２突起部４１および電池第３突起部４２とを有する。
【００２４】
接触パッド３７は、図８、図９に示すように、電池収容部１２に電池パック１３を収容した状態において、電池収容部１２の接触端子２７に接触可能な部位に設けられている。
また、電池第１突起部３８は、図１０に示すように、左端面３５Ａ（図５参照）の一端部３５Ｂおける電池底面３３側から左内面２５Ｃに向けて突出されている。
この電池第１突起部３８は、内面突起部２９および収容底面２４間の突起収容凹部３１に挿入可能に突出されている。
【００２５】
また、電池凹部３９は、左端面３５Ａ（図５参照）の一端部３５Ｂにおける電池天面３４側に位置し、電池第１突起部３８に隣接して設けられている。
この電池凹部３９は、電池収容部１２の内面突起部２９が挿入可能に凹状に形成されている。
【００２６】
図７に示すように、電池第２突起部４１は、左端面３５Ａの他端部３５Ｃおける電池天面３４側から左内面２５Ｃ（図５参照）に向けて第２突起突出寸法Ｌ３だけ突出されている。
ここで、第２突起突出寸法Ｌ３および内面突起突出寸法Ｌ２（図４参照）の関係は、
（第２突起突出寸法Ｌ３）＋（内面突起突出寸法Ｌ２）＞（端子突出寸法Ｌ１（図３参照））
が成立する。
【００２７】
また、電池第２突起部４１は、図５に示すように、左端面３５Ａにおける長手方向中央部４５を中心として電池第１突起部３８に対する点対照位置に設けられている。
さらに、電池第２突起部４１は、電池パック１３が長手方向中央部４５を中心として１８０度反転した誤挿入姿勢のときに、内面突起部２９に係合するように形成されている。
【００２８】
ここで、電池パック１３の誤挿入姿勢とは、電池収容部１２に対して電池パック１３が配置された状態において、左内面２５Ｃに対して左端面３５Ａが対面し、かつ、収容底面２４に対して電池天面３４が対面する姿勢をいう。
すなわち、電池パック１３の誤挿入姿勢とは、図５に示す姿勢に対して電池パック１３を長手方向中央部４５を中心として矢印Ｄ方向に１８０度反転した状態をいう。
【００２９】
図７に示すように、電池第３突起部４２は、左端面３５Ａの他端部３５Ｃおける電池底面３３側から左内面２５Ｃ（図５参照）に向けて突出されている。
【００３０】
図１、図１０に示すように、電池蓋１４は、電池収容部１２を覆うように略矩形状に形成され、電池蓋１４の裏面１４Ａにおいて周縁１４Ｂに沿ってリブ４７が略矩形枠状に形成されている。
このリブ４７の外周４７Ａに沿ってＯリング４８が設けられている。
電池蓋１４で電池収容部１２を覆った状態において、Ｏリング４８がリブ４７の外周４７Ａおよび収容開口部２６間の隙間を密封することにより、電池蓋１４および電池収容部１２間の防水性が確保される。
【００３１】
ここで、電池収容部１２に電池パック１３を正規の姿勢で収容する例を図５、図８、図９、図１０に基づいて説明する。
図５に示すように、電池収容部１２の左内面２５Ｃに電池パック１３の左端面３５Ａを対面させるように配置する。
この状態で、電池パック１３を矢印Ｅ方向に移動して電池パック１３の左端面３５Ａを電池収容部１２に挿入する。
【００３２】
よって、電池パック１３の電池第１突起部３８が電池収容部１２の突起収容凹部３１（図４参照）に挿入される。
さらに、電池パック１３の電池凹部３９に電池収容部１２の内面突起部２９が挿入される（図９も参照）。
同時に、図５に示す電池第２突起部４１および電池第３突起部４２が、電池収容部１２の左内面２５Ｃに向けて移動する。
【００３３】
この状態において、図５に示すように、電池パック１３の右端面３５Ｄを電池収容部１２の右内面２５Ｄ側に向けて矢印Ｆ方向に差し込む。
これにより、図８に示すように、電池収容部１２に電池パック１３が収容される。
この状態において、図９に示すように、接触端子２７に接触パッド３７が接触された状態に保たれる。
【００３４】
電池収容部１２に電池パック１３を収容した後、図１０に示すように、電池収容部１２を電池蓋１４で覆う。
これにより、電池蓋１４および電池収容部１２間の防水性がＯリング４８で確保される。
【００３５】
次に、電池収容部１２に電池パック１３を誤挿入する例を図１１〜図１４に基づいて説明する。
図１１に示すように、電池パック１３が長手方向中央部４５を中心として１８０度反転した誤挿入姿勢に配置されている。
すなわち、電池パック１３は、電池収容部１２に対して電池パック１３が、左内面２５Ｃに対して左端面３５Ａが対面し、かつ、収容底面２４に対して電池天面３４（図５も参照）が対面する誤挿入姿勢に配置されている。
この状態で、電池パック１３を矢印Ｇ方向に移動する。
【００３６】
この状態で、図１２、図１３に示すように、電池収容部１２に電池パック１３が収容する前に、電池第２突起部４１が内面突起部２９に係合する。
図１４に示すように、電池第２突起部４１が内面突起部２９に係合することにより、電池パック１３が電池収容部１２に向けて移動することを防止できる。
【００３７】
よって、電池収容部１２に対して電池パック１３を誤った姿勢で挿入しようとした際に、電池収容部１２に電池パック１３を挿入する前に、電池パック１３の誤挿入を使用者が認識できる。
これにより、電池パック１３の左端面３５Ａが接触端子２７（図３参照）に接触する前に電池パック１３の誤挿入を認識できるので、電池パック１３で接触端子２７を破損する虞がなく接触端子２７（図１３参照）を保護できる。
【００３８】
ここで、電池パック１３の誤挿入を防止することを考えた場合、図１４に示すように、電池第２突起部４１の第２突起突出寸法Ｌ３を想像線のように大きく形成することが考えられる。
【００３９】
電池第２突起部４１の第２突起突出寸法Ｌ３を大きくして、電池第２突起部４１を電池収容部１２の左内面２５Ｃに直接当接させることにより、電池収容部１２への電池パック１３の誤挿入が防止される。
すなわち、電池第２突起部４１の第２突起突出寸法Ｌ３を大きくすることにより、内面突起部２９を省略することも考えられる。
【００４０】
しかし、電池第２突起部４１の第２突起突出寸法Ｌ３を必要以上に大きくすると、図１５に示すように、電池パック１３を電池収容部１２に正規の状態で収容した状態において、電池第２突起部４１の先端４１Ａが電池蓋１４のリブ４７やＯリング４８に干渉する可能性がある。
【００４１】
このため、電池蓋１４にＯリング４８が設けられないことや、電池第２突起部４１を避けてＯリング４８を大きく迂回させる必要が生じ、電池収容部１２および電池蓋１４間の防水性に影響を及ぼす。
【００４２】
そこで、電池パック１３に電池第２突起部４１（実線で示す）を設け、かつ電池収容部１２に内面突起部２９を設け、電池第２突起部４１および内面突起部２９の協働により誤挿入を防止するようにした。
これにより、電池第２突起部４１の第２突起突出寸法Ｌ３を小さく抑えることができるので、電池蓋１４の好適な位置にＯリング４８を配置し、電池収容部１２および電池蓋１４間の防水性を確保できる。
【００４３】
なお、本発明に係る携帯端末は、前述した実施形態に限定されるものではなく適宜変更、改良等が可能である。
例えば、実施形態で使用した携帯端末、筐体、電池収容部、電池パック、電池蓋、接触端子、内面突起部、接触パッド、電池第１突起部、電池凹部および電池第２突起部等の形状や構成は例示したものに限定するものではなく適宜変更が可能である。
【産業上の利用可能性】
【００４４】
本発明は、筐体の裏面に凹状の電池収容部が設けられ、電池収容部に電池パックが着脱自在に収容され、電池収容部および電池パックが電池蓋で覆われた携帯端末への適用に好適である。
【符号の説明】
【００４５】
１０  携帯端末
１１  筐体
１１Ｂ  筐体の裏面
１２  電池収容部
１３  電池パック
１４  電池蓋
２４  収容底面
２５  内面
２７  接触端子
２９  内面突起部
３３  電池底面
３４  電池天面
３５  端面
３７  接触パッド
３８  電池第１突起部
３９  電池凹部
４１  電池第２突起部
４５  長手方向中央部
【図１】
2013098079.tif 000003
【図２】
2013098079.tif 000004
【図３】
2013098079.tif 000005
【図４】
2013098079.tif 000006
【図５】
2013098079.tif 000007
【図６】
2013098079.tif 000008
【図７】
2013098079.tif 000009
【図８】
2013098079.tif 000010
【図９】
2013098079.tif 000011
【図１０】
2013098079.tif 000012
【図１１】
2013098079.tif 000013
【図１２】
2013098079.tif 000014
【図１３】
2013098079.tif 000015
【図１４】
2013098079.tif 000016
【図１５】
2013098079.tif 000017